(57)【要約】【課題】ルーバーが確実に装着されていない場合においても、屋外から侵入した雨水の室内への滴下を防止することを目的とする。【解決手段】屋外と室内を連通し、室内の壁面に貫通される通風路４に収納される筒部５と、筒部５と連通し室内側に配設されたルーバー２と、筒部５と連通する位置に設けられるフィルター８とを備えた換気装置であって、室内側へ進入する水をフィルター８で受け止め、フィルター８に付着した水分は、フィルター８の保持機構として構成されている第１の袋形状部９で貯水可能としたことにより、ルーバー２が確実に装着されていない場合でも室内側に雨水が滴下することはない換気装置を提供できる。【選択図】図１
2008209093.tif 000002
【特許請求の範囲】
【請求項１】
屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けられ、前記フィルターの保持機構と一体となった止水手段で貯水可能としたことを特徴とする換気装置。
【請求項２】
止水手段の下方にリブおよび前記リブに押圧される緩衝材を設け、前記止水手段の他にもう一つの止水手段を設けたことを特徴とする請求項１記載の換気装置。
【請求項３】
前記緩衝材は独立発泡素材としたことを特徴とする請求項１または２記載の換気装置。
【請求項４】
前記フィルターより前記室内側に、前記筒部の内周面における底面よりも高く形成した止水板を設けたことを特徴とする請求項１〜３のいずれかに記載の換気装置。
【請求項５】
前記筒部の内周面における底面に、前記屋外側より前記室内側の方が高い傾斜部を設けたことを特徴とする請求項１〜４のいずれかに記載の換気装置。
【請求項６】
前記止水板の上端部が下端部より前記室内側に傾斜していることを特徴とする請求項１〜５のいずれかに記載の換気装置。
【発明の詳細な説明】
【技術分野】
【０００１】
本発明は、フィルターを備え、屋外と室内を連通する通風路の室内側に設けられる換気装置に関する。
【背景技術】
【０００２】
従来、この種の換気装置としては、屋外と室内を連通する通風路と室内を連通させるために室内側から設置される給気端末機器が知られている（例えば、特許文献１参照）。
【０００３】
以下、図４をもとにその構成を説明する。
【０００４】
室内壁を貫通し、屋外と室内を連通して形成される換気風路３０と、換気風路と連通し屋内側に配設された屋外から流入する空気を室内に導入する吹出口を形成するルーバー３１と、換気風路３０と連通するルーバー３１より屋外側に設けられたフィルター３２とを備えて構成され、屋外から侵入した雨水はフィルター３２の下部に設けられたリブ３３とリブ３３に押圧するように設けられた緩衝材３４にて室内への滴下を防ぐものである。
【特許文献１】特開２００６−９７９６１号公報
【発明の開示】
【発明が解決しようとする課題】
【０００５】
このような従来の換気装置では、ルーバーを装着することで、屋外から侵入した雨水が室内に滴下するのを防止していたが、ルーバーが確実に装着されていない場合、雨水が室内に滴下してしまうという課題がある。
【０００６】
本発明は、このような従来の課題を解決するものであり、ルーバーが確実に装着されていない場合においても、屋外から侵入した雨水の室内への滴下を防止する換気装置を提供することを目的とする。
【課題を解決するための手段】
【０００７】
本発明の換気装置は、上記目的を達成するために、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けられ、前記フィルターの保持機構と一体となった止水手段で貯水可能としたものである。
【０００８】
また、他の手段は、止水手段の下方にリブおよび前記リブに押圧される緩衝材を設け、前記止水手段の他にもう一つの止水手段を設けたものである。
【０００９】
また、他の手段は、緩衝材は独立発泡素材としたものである。
【００１０】
また、他の手段は、フィルターより室内側に、筒部の内周面における底面よりも高く形成した止水板を設けたものである。
【００１１】
また、他の手段は、筒部の内周面における底面に、屋外側より室内側の方が高い傾斜部を設けたものである。
【００１２】
また、他の手段は、止水板の上端部が下端部より室内側に傾斜しているものである。
【発明の効果】
【００１３】
本発明によれば、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けられ、前記フィルターの保持機構と一体となった止水手段で貯水可能としたことにより、ルーバーが確実に装着されていない場合でも、フィルターが保持されている部品で止水手段が完結しているので、室内側に雨水が滴下することはないという効果のある換気装置を提供することができる。
【００１４】
また、止水手段の下方にリブおよび前記リブに押圧される緩衝材を設け、前記止水手段の他にもう一つの止水手段を設けたことにより、止水手段が製造バラツキなどで水密性が確保できなく、フィルター保持部分から水が染み出たとしても第２の止水手段としてリブが機能し、雨水の滴下を防止するという効果のある換気装置を提供することができる。
【００１５】
また、緩衝材は独立発泡素材としたことにより、水が緩衝材に染み込まないので、緩衝材を介して水が室内に滴下することはないという効果のある換気装置を提供することができる。
【００１６】
また、フィルターより室内側に、筒部の内周面における底面よりも高く形成した止水板を設けたことにより、室内側に空気が流入するため、風の影響で室外側への排水がスムーズに行われない場合においても、筒部内にある程度の雨水を溜めることができるため、室内に雨水が滴下することなく、排水を確実に行うことができるという効果のある換気装置を提供することができる。
【００１７】
また、筒部の内周面における底面に、屋外側より室内側の方が高い傾斜部を設けたことにより、フィルター保持機構の保水量を低減するという効果のある換気装置を提供することができる。
【００１８】
また、止水板の上端部が下端部より室内側に傾斜していることにより、室内側への空気の流入の影響で、フィルター保持部に溜められた水が室内側へ吹き飛ばされ、室内側に滴下するのを防ぐという効果のある換気装置を提供することができる。
【発明を実施するための最良の形態】
【００１９】
本発明の請求項１記載の換気装置は、屋外と室内を連通し、前記室内の壁面に貫通される通風路内に収納される筒部と、前記筒部内と連通し前記室内側に配設されたルーバーと、前記筒部内と連通する位置に設けられるフィルターとを備えた換気装置であって、前記筒部内を前記室内側へ進入する水を前記フィルターで受け止め、前記フィルターから前記室内側へしみ出た水分は、前記フィルターよりも前記室内寄りに設けられ、前記フィルターの保持機構と一体となった袋形状の止水手段で貯水可能としたものであり、フィルターに付着し滴下する雨水をフィルター保持機構部内に保持することができるという作用を有する。
【００２０】
また、止水手段の下方にリブおよび前記リブに押圧される緩衝材を設け、前記止水手段の他にもう一つの止水手段を設けたものであり、第１の止水手段であるフィルター保持機構部から水が染み出た場合においてもその下方に設けたリブとそのリブに押圧された緩衝材によって、第２の袋形状が形成され、雨水の滴下を防止できるという作用を有する。
【００２１】
また、緩衝材は独立発泡素材としたものであり、緩衝材を独立発泡材にすることで、水が緩衝材に染み込むのを防止し、リブで緩衝材を押圧することにより雨水の室内への滴下を防ぐことができるという作用を有する。
【００２２】
また、フィルターより室内側に、筒部の内周面における底面よりも高く形成した止水板を設けたものであり、止水板までの高さであれば、雨水をフィルター保持部分で保水することができるという作用を有する。
【００２３】
また、筒部の内周面における底面に、屋外側より室内側の方が高い傾斜部を設けたものであり、屋外側への下り勾配をつけることで、雨水の屋外側への排水をスムーズにできるという作用を有する。
【００２４】
また、止水板の上端部が下端部より室内側に傾斜しているものであり、フィルターに付着し、滴下する雨水を確実にフィルター保持機構内部に導入することができるという作用を有する。
【００２５】
以下、本発明の実施の形態について、図面を参照しながら説明する。
【００２６】
（実施の形態１）
本発明の換気装置について、外気の空気を取り入れ、室内側に備えた吹出口から室内に供給する給気端末機器を例にとり説明する。
【００２７】
図１および図２に示すように、換気装置としての給気端末機器の本体１はルーバー２とフレーム３から構成され、建物内の室内側壁面に配設され、室内側を別途設置された換気扇などで負圧にすることで、屋外と室内を連通する通風路４を介して屋外側から外気を室内側へ導入する。通風路４には筒部５が挿入され、筒部５を介して通風路４と連通されたフレーム３にフィルター保持部６が嵌装されており、フレーム３とフィルター保持部６の間には第１の緩衝材７が配設されている。フレーム３とフィルター保持部６により形成された第１の袋形状部９にフィルター８の下端部を挿入し、フレーム上部に設けられたフィルター押え１０にフィルター８の上端部を挿入することで、フィルター８をフレーム３に装着する。フィルター８は外気に混在する花粉やゴミなどを捕集し、花粉やゴミ以外にも外気に混在した雨水などをフィルター８で受け止め、フィルター８に付着した水分は次第に下端部に移動し、第１の袋形状部９に貯水される。
【００２８】
このように本発明の実施の形態１の換気装置によれば、ルーバー２が確実に装着されていない場合でも、フィルター８に付着した水分が室内側に滴下するのを防ぐ止水手段はフィルター８が保持されている第１の袋形状部９で完結されているため室内側に雨水が滴下することはない。実施の形態１ではフィルター保持機構部をフレーム３とフィルター保持部６の２パーツに分けツメによる嵌合にて固定しているが、フィルター保持機構部を一体成型しても良い。また、固定方法をツメによる嵌合以外に接着およびネジによる固定方法でも良い。
【００２９】
また、第１の袋形状部９の下方にリブ１１およびリブ１１に押圧される第２の緩衝材１２をルーバー２に設け、前記止水手段の他にもう一つの止水手段を設けた構成とする。
【００３０】
上記構成により、第１の止水手段である第１の袋形状部９から水が染み出た場合においてもその下方に設けたリブ１１とそのリブに押圧された第２の緩衝材１２によって、第２の袋形状部１３が形成されるため、組立や成型のバラツキなどで第１の袋形状部９の隙間から雨水が染み出たとしても第２の止水手段として第２の袋形状部１３により雨水が溜まり、室内側への雨水の滴下を防止することができる。第１の緩衝材７および第２の緩衝材１２は独立発泡素材とすることで、水が緩衝材に染み込むのを防止することができる。
【００３１】
図１に示すように筒部５の内周面における底面に、屋外側より室内側の方が高い傾斜部１４を設け、フィルター保持部６は傾斜部１４のよりも高くし、フィルター保持部６の上端部が下端部より室内側に傾斜している構成とする。
【００３２】
上記構成により、第１の袋形状部９に貯水された雨水は屋外側に排水されやすくなり、第１の袋形状部９に貯水される雨水の量を低減できる。また、屋外側から室内側へ空気が導入されているため風速によっては風の影響で第１の袋形状部９に貯水された雨水が室内側へ押し出され屋外側に流れにくくなっている場合においても、フィルター保持部６が止水板の役割を果たし、雨水の室内側への流出を抑え、フィルター８に付着した雨水が室内側に押し出された場合においてもフィルター保持部６の内部に滴下するため、第１の袋形状部９に導入することができる。
【００３３】
図１および図３に示すように、筒部５の下方に仕切板１５を設け、仕切板１５に当接しない形状で筒部５の上方を支点に風圧により摺動し、筒部５の内部に垂下された状態で、左右に通風路が形成される概三角形状の垂下板１７と、垂下板１７より幅広で垂下板１７の下端部より室外側に向け折り曲げられた折曲板１８と、折曲板１８の反対側に垂下板１７の左右より室内側に向け突出する舌板１９とを設けたシャッター１６を設けた構成とする。
【００３４】
上記構成により風圧でシャッター１６を傾斜させ、筒部５の開口面積を変えることで風量を一定にすることができ、風量が少なくシャッター１６がほとんど傾斜していない場合においては圧力損失を減少させることができ、支点から離れた箇所が概三角形状の底辺部にあたるためシャッター１６の面積が比較的小さくなってもシャッター１６を回転させるモーメント力は大きくなるため、シャッター１６を容易に傾斜させる事ができる。
【００３５】
また、シャッター１６に着脱可能なおもり２０をつけることにより、おもり２０をつけた状態と外した状態でシャッター１６の重量を変え、同風圧におけるシャッター１６の傾斜角度が変わるため一定にする風量域をおもりの有無で２種類設定することができる。
【００３６】
図１に示すように、仕切板１５の下部に穴２１を設け、穴２１の端面より室内側に穴２１とほぼ同じ幅もしくは幅広の第２の仕切板２２を設けた構成とする。
【００３７】
上記構成により、筒部５に溜まった雨水を穴２１から屋外側に排出できる。第２の仕切板２２は屋外側から室内側へ風が穴２１から流入されるのを抑制し、穴２１が設けられたことによる風の流入量の増加を抑えることができる。
【産業上の利用可能性】
【００３８】
本発明にかかる換気装置は、室内壁側に設けられ、フィルターを必要とする換気端末口、ファンを有する換気扇、空調空気吹出口などに有用である。
【図面の簡単な説明】
【００３９】
【図１】本発明の実施の形態１の換気装置の設置状態を示す断面図
【図２】同換気装置のルーバー着脱した状態を示す正面図
【図３】同換気装置のシャッター設置状態を示す斜視図
【図４】従来の換気装置の止水手段をもつ構成を示す断面図
【符号の説明】
【００４０】
１    本体
２    ルーバー
３    フレーム
５    筒部
６    フィルター保持部
８    フィルター
１５  仕切板
１６  シャッター
２０  おもり
２１  穴
【図１】
2008209093.tif 000003
【図２】
2008209093.tif 000004
【図３】
2008209093.tif 000005
【図４】
2008209093.tif 000006